(57)【要約】      （修正有）【課題】プラスチック袋に詰められた米を米びつに移し変える際の作業を容易にする。【解決手段】長方形の柔軟な袋に詰めて販売されている米において、その米袋を長手方向側面を左右から布で包む状態に保持し、且つ米袋の長手方向側面が地面に対して水平になる位置に手で吊り下げるように持ち手を構成した事を特徴とする。片方で全体を吊り下げ、もう片方の手で袋の底部に設けられた持ち手を手ががりにして、吊り下げた米袋全体の傾斜を調整する。【選択図】図１
2010202257.tif 000002
【特許請求の範囲】
【請求項１】
一対の取っ手を、開口部を上向きの水平に保持できる位置に設けた袋であって、該袋の前記開口部を垂直に保持する為の持ち手を側面と底部に構成した事を特徴とした米袋扱い補助具。
【請求項２】
開口部（Ａ）を有する袋の１対の側面（２）（２´）の上方端側に持ち手帯（３）を設け、次に底部（Ｂ）に持ち手部（４）を設けた事を特徴とした特許請求項１の米袋扱い補助具。
【請求項３】
開口部（Ａ）を有する袋の１対の側面（２）（２´）のそれぞれの上方端側に長手方向を垂直にした持ち手帯（５）（５´）を設け、次に底部（Ｂ）に持ち手部（４）を設けた事を特徴とした特許請求項１の米袋扱い補助具。
【請求項４】
開口部（Ａ）を有する袋の１対の側面（２）（２´）の接合部に長手方向を垂直にした持ち手帯（５）を設け、次に底部（Ｂ）に持ち手部（４）を設けた事を特徴とした特許請求項１の米袋扱い補助具。
【請求項５】
開口部（Ａ）を有する袋の１対の側面（２）（２´）の上方端側に、開口部（Ａ）に直交する線に対して長手方向を平行にした１対の持ち手穴（６）（６´）を設け、次に底部（Ｂ）に持ち手部（４）を設けた事を特徴とした特許請求項１の米袋扱い補助具。
【発明の詳細な説明】
【技術分野】
【０００１】
本発明は、小売市場に流通するプラスチック袋に詰められた米を一般家庭で取り扱う際の補助具に関するものである。
【背景技術】
【０００２】
通常、精米はプラスチック製の柔軟な袋に小分けされて流通しているが、最も一般的なものは５ｋｇまたは１０ｋｇの量をポリ塩化ビニールの袋に詰めた物が中心的である。そして一般家庭では購入したこの袋詰めの米を一旦、米びつに移し変えてから必要量を取り出すという作業行程で消費するのが一般的である。
【０００３】
この作業行程において、購入したビニール袋入りの米を米びつに移し変える際の作業がなかなか面倒な事であった。特に１０ｋｇの米を収納した袋においては女性や高齢者には重量以上に重いものに感じられたが、この原因は米自体が袋の中で流体としての挙動を示す為であり、その上、米を詰めたビニール袋に掴みどころがない事が起因している。この問題を解決するためにはいくつかの発明、考案がなされていたところであった。
【特許文献１】特許公開２００９−４０４４１
【特許文献１】特許公開２００８−３０８２１４
【０００４】
この不便さの中で最も大きな問題点は、封を切った後の米びつに移し変える際の作業であり、単に米を詰めるビニール袋に持ち手をつけただけでは解決できない事であった。すなわち米袋の封を切って米びつに移し変える際には米自体が流体としての挙動を呈し、あたかも柔らかい袋に水を詰めた処の袋を扱うのと同様の、袋の開封部分意外に掴みどころが無くなる性質が原因であり、この問題の解決を考えた発明考案は今まで見当たらないところであった。
【発明の開示】
【発明が解決しようとする課題】
【０００５】
解決しようとする課題は、ビニールなどの柔軟な袋に詰めて販売されている米を米びつに移し変える際の作業を容易にする事である。
【課題を解決するための手段】
【０００６】
米袋をその市販されているサイズに適合した布製の袋に一旦収納し、開封した後、袋の横に設けた取っ手を持って全体を横方向に倒す事で、あたかも取っ手の付いた幅広の帯で米袋を締め付ける形に保持し、米袋の開封部すなわち米の流出口を米びつの目的場所に向けて自由に移動させる事を可能としたものである。
【発明の効果】
【０００７】
本発明により、今まで取り扱いが困難であった米袋を自由に保持することが可能となった。また本発明による米袋扱い補助具はその構造上、買い物袋としても使用でき重量物を購入した際にも利用できる特別丈夫な買い物袋としての役も担うことが可能である。
【実施例】
【０００８】
次に本発明における実施例を図において説明する。図１は特許請求項１による一対の取っ手を、開口部を上向きの水平状態に保持可能な位置に備えた袋であって、該袋の前記開口部を垂直にして保持する為の持ち手部を側面と底部に追加構成した米袋扱い補助具を用いてビニール袋に入った米を米びつに移し変える様子を説明したイメージである
。
【０００９】
図２は特許請求項２による米袋扱い補助具である。１対の側面（２）（２´）の上方端側に持ち手帯（３）を設け、次に底部（Ｂ）に持ち手部（４）を設けた事を特徴としたの米袋扱い補助具の斜視図である。持ち手帯（３）は複数に構成することも当然可能であり、複数の持ち手を設けた際は使用方法がより簡単になる。
持ち手部（４）は袋全体の傾きを調整するために必要な部分であり、袋全体の重量を支えるのは持ち手帯（３）の役となる。したがって持ち手帯（３）とその回りは袋全体の重量を支えるに十分な強度を必要とするが、持ち手部（４）は簡単な指の引っかかり程度の強度で間に合う。また袋のまちの有無は、持ち手（３）の長さに影響を与える。すなわち持ち手帯（３）の長さはまちの幅と同じにする必要がある。
【００１０】
袋のまちとは、袋の容積を広げるために構成される部分である。最も単純な袋を作る際には長方形の１枚の布を２つに折りたたみ、左右を縫いあわせるだけであるが、袋を開いた時の開口部は長楕円形の両端をすぼめた形状となり、この場合、まちは無い事になる。これに対して、まちを設けた袋は開いた時の形状が長方形となる。  図２、３、５はまちを有する袋の場合を示す斜視図である。
【００１１】
持ち手は長手方向を垂直にして取り付けることも可能である。  図３は開口部（Ａ）を有する袋の１対の側面（２）（２´）のそれぞれの上方の端側に長手方向を垂直にした持ち手帯（５）（５´）を設け、次に底部（Ｂ）に持ち手部（４）を設けた事を特徴としたところの特許請求項３による米袋扱い補助具の斜視図である。
【００１２】
また、持ち手は長手方向を垂直にして袋の縫い合わせ部分に取り付けることも可能である。図４は特許請求項４によるところの、開口部（Ａ）を有する袋の１対の側面（２）（２´）の接合部またはその付近に長手方向を垂直にした持ち手帯（５）を設け、次に底部（Ｂ）に持ち手部（４）を設けた事を特徴としたの米袋扱い補助具の斜視図である。袋にまちがある場合は持ち手帯（５）は、まちの部分に構成される事になる。
【００１３】
本発明の米袋扱い補助具の持ち手は袋の形状に合わせて構成されるが、特に袋のまちの有無で幾分その構成に変化を生ずる。しかし、まちの部分と側面との境界は構造的には分割される物ではなく、側面の両端部分を折り込んだ部分の呼び名として「まち」という単語が存在しているとも考えられものであり特許請求項の説明においてはまちに取り付けたものと側面に取り付けたものを区別する必要はないものと考え、簡単に説明するに留めるところである。
【００１４】
持ち手はこの、まちの部分に取り付けられてもよい事は当然であるが、図４、６、７においては、１枚の布を２枚に折っただけの全く単純な形状の袋とまちを有する場合の共通した正面図を表している事になる。
【００１５】
図５及び図７は開口部（Ａ）を有する袋の１対の側面（２）（２´）の上方端側に、開口部（Ａ）に直交する線に対して長手方向を平行にした１対の持ち手穴（６）（６´）を設け、次に底部（Ｂ）に持ち手部（４）を設けた事を特徴とした特許請求項５の米袋扱い補助具の斜視図である。
【産業上の利用可能性】
【００１６】
本発明により、一般家庭向けに市販されているプラスチック袋入りの米袋の取り扱いが楽になり、今まで米びつに移す際に周りに米を溢してしまい後始末が大変であった不自由さが解決された。またこの米袋扱い補助具は丈夫な材質で構成されるので、重いものを購入した際に使用する丈夫な買い物袋といての有効性も兼ね備えたものである。
【図面の簡単な説明】
【００１７】
【図１】は米袋扱い補助具の使用状態図である。
【図２】は請求項２による米袋扱い補助具の斜視図である。
【図３】は請求項３による米袋扱い補助具の斜視図である。
【図４】は請求項４による米袋扱い補助具の正面図である。
【図５】は請求項５による米袋扱い補助具の斜視図である。
【図６】は請求項２による米袋扱い補助具の正面図である。
【図７】は請求項５による米袋扱い補助具の正面図である。
【符号の説明】
【００１８】
１      取っ手
１´    取っ手
２      袋側面
２´    袋側面
３     持ち手帯
４     持ち手部
５     持ち手帯
５´    持ち手帯
６     持ち手穴
６´    持ち手穴
Ａ     開口部
Ｂ     底部
【図１】
2010202257.tif 000003
【図２】
2010202257.tif 000004
【図３】
2010202257.tif 000005
【図４】
2010202257.tif 000006
【図５】
2010202257.tif 000007
【図６】
2010202257.tif 000008
【図７】
2010202257.tif 000009